(57)【要約】　　　（修正有）【課題】廃棄ビニールから特に暗渠排水管に用いるのに好適な多孔管を製造する装置を提供する。【解決手段】ローラ間にビニールを通すべく一対のローラを対向配置し、少なくとも一方のローラ表面から径方向外方へ突出する複数の加熱された孔開け手段と、前記ビニールがローラに溶着するのを防止する複数の断熱部材を備えたビニールシート形成手段と、外周面に螺旋状のリブ形成用突起を備えたスクリューシャフト及びリブ形成用突起と共動するリブ形成凹型を備え、凹型がスクリューシャフトの軸線方向に沿って移動できるように構成された管形成手段とを備え、前記ビニールシート形成手段から排出されるシートで、前記スクリューシャフトを覆い、かつ、両側部が重なるように筒状に丸めて前記管形成手段に供給し、スクリューシャフトの回転に伴って前記リブ形成用突起とリブ形成型との間にシートを引き込んで加圧することを特徴とする多孔管製造装置。【選択図】　図１
2004142288.tif 000002
【特許請求の範囲】
【請求項１】
一対のローラを、ローラ間にビニールを通すことができるように対向させて配置すると共に、
少なくとも一方のローラに、その表面から径方向外方へ突出する複数の孔開け手段と、これら孔開け手段を加熱する加熱手段及び前記ビニールがローラに溶着するのを防止する複数の断熱部材を備えた
ビニールシート形成手段と、
外周面に螺旋状のリブ形成用突起を備えたスクリューシャフト及び、
前記スクリューシャフトのリブ形成用突起の周囲を覆うように配置され、前記リブ形成用突起と共動する凹部を備えた複数のリブ形成型を備え、これらリブ形成型がスクリューシャフトの軸線方向に沿って移動できるように構成されたリブ形成用型手段と
を有する管形成手段と
を備え、
前記ビニールシート形成手段から排出されるビニールシートを、前記スクリューシャフトを覆い、かつ、両側部が重なるように筒状に丸めて前記管形成手段に供給し、スクリューシャフトの回転に伴って前記リブ形成用突起とリブ形成型との間にビニールシートを引き込んで加圧するように構成した
ことを特徴とする多孔管製造装置。
【発明の詳細な説明】
【０００１】
【発明の属する技術分野】
本発明は、廃棄ビニールシートから、特に暗渠排水管に用いるのに好適な多孔管を製造する装置に関する。
【０００２】
【従来の技術】
農家では雑草の育成を抑制するために苗木周辺の土壌をビニールシートで覆っている。また、農業用のビニールハウス等にもビニールシートが利用されている。
これらのビニールシートの寿命は短く僅か１年程であり、その結果、農家では大量のビニールシートが毎年廃棄されることになる。当然これらは産業廃棄物の不燃ゴミとして処理される。しかし、廃棄されているビニールシートは、ビニールハウスや雑草の発生成長抑制用シートとしての使用に耐えなくなっただけで、ビニール繊維の形態はまだ残っているものである。このようなものが毎年大量に廃棄されるのは資源の有効利用の観点から見ても、ゴミの焼却に伴う環境汚染問題の観点から見ても好ましくない。
出願人は、上記したビニール廃棄の問題に鑑みて、廃棄物として扱われているビニールから有効なビニールシートを製造するシート製造装置を発明し、既に提案している（特許文献１参照）。
【０００３】
【特許文献１】特許第３１７７５８２号公報
【０００４】
【発明が解決しようとする課題】
上記したシート製造装置を用いることにより、今まで廃棄されていた大量のビニールシートを再利用することが可能になる。
出願人は、上記シート製造装置の発明後も廃棄ビニールの再利用方法についての研究を重ね、廃棄ビニールから特に暗渠排水管に用いるのに好適な多孔管を製造する装置を発明した。
【０００５】
【課題を解決するための手段】
本発明に係る多孔管製造装置は、一対のローラを、ローラ間にビニールを通すことができるように対向させて配置すると共に、少なくとも一方のローラに、その表面から径方向外方へ突出する複数の孔開け手段と、これら孔開け手段を加熱する加熱手段及び前記ビニールがローラに溶着するのを防止する複数の断熱部材を備えたビニールシート形成手段と、外周面に螺旋状のリブ形成用突起を備えたスクリューシャフト及び、前記スクリューシャフトのリブ形成用突起の周囲を覆うように配置され、前記リブ形成用突起と共動する凹部を備えた複数のリブ形成型を備え、これらリブ形成型がスクリューシャフトの軸線方向に沿って移動できるように構成されたリブ形成用型手段とを有する管形成手段とを備え、前記ビニールシート形成手段から排出されるビニールシートを、前記スクリューシャフトを覆い、かつ、両側部が重なるように筒状に丸めて前記管形成手段に供給し、スクリューシャフトの回転に伴って前記リブ形成用突起とリブ形成型との間にビニールシートを引き込んで加圧するように構成したことを特徴とするものである。
【０００６】
【発明の実施の形態】
以下、添付図面に示した一実施例を参照して本発明に係る多孔管製造装置の実施の形態について説明していく。
【０００７】
図１は多孔管製造装置の概略側面図、図２は図１に示した多孔管装置の概略上面図を各々示している。
図面に示すように、この暗渠配水管製造装置は、ビニールシート形成手段Ａと管形成手段Ｂとを備えている。
【０００８】
ビニールシート形成手段Ａは、向き合うように配置された一対のローラ１及び２を備えている。
ローラ１及び２の外周面には、各々径方向外方に伸びる複数の孔開けピン３が周方向に整列されて複数列設けられている。また、各ローラ１及び２の内部には加熱用のニクロム線４が設けられており、このニクロム線４によって使用中に前記孔明けピン３は加熱される。また、各ローラ１及び２における周方向に整列されたピン３の列間には、断熱用リング５が取り付けられており、この断熱用リング５によって、使用中にビニールシートがローラ１及び２の表面に溶着してしまうのを防止する。
上記したように構成された二つのローラ１及び２は、それらの間に廃棄ビニールシートを複数枚重ねて通すことができるように隙間を開けて、二つのローラ１及び２の周方向に整列されたピン３の列が互い違いになるように向き合って配置される。
以上説明したように構成されたシート形成手段Ａにおける二つのローラ１及び２の間に、廃棄ビニールシートＣを何枚か重ねて通すと廃棄ビニールシートＣは二つのローラ１及び２の間で加圧されると同時に、ローラ１及び２の加熱された孔明けピン３が廃棄ビニールシートＣを貫通する。それによりピン３によって開けられた孔の周囲が溶着され一枚の多孔再生ビニールシートＤとなって排出される。
【０００９】
管形成手段Ｂは、複数の軸受１１で支持されたスクリューシャフト１０を備えている。このスクリューシャフト１０の一端にはスプロケット１２が設けられている。図１及び２中、符号１３はモータを示しており、このモータ１３のスプロケット１４と前記スプロケット１２との間にはチェーン１５が掛け渡されており、これによりスクリューシャフト１０はモータ１３により回転駆動される。また、スクリューシャフト１０の内部には冷却水循環回路１６が設けられており、スイベルジョイント１７を介して不図示のポンプにより前記冷却水循環回路１６に冷却水が循環される。また、前記スクリューシャフト１０の前部の外周面には径方向外方に突出する螺旋状のリブ形成用突起１８が設けられている。
管形成手段Ｂは、さらにリブ形成用型手段２０を備えている。
リブ形成用型手段２０は、スクリューシャフト１０に形成されたリブ形成用突起１８の周囲を左右から覆う左右一対の半円状リブ形成型２１を複数備えている。
前記複数のリブ形成型２１は、各々スクリューシャフト１０の側部でチェーン２２の外周に固定されており、各チェーン２２は、二つスプロケット２３間に巻回されている。尚、図中符号２４は各スプロケット２３の軸を支持する軸受けを示している。
上記した構成により、複数のリブ形成型２１は、スクリューシャフト１０が回転すると、スクリューシャフト１０のリブ形成用突起１８と共動してスクリューシャフト１０の進行方向Ｘに向かって移動する。
【００１０】
以上説明したように構成されたビニールシート形成手段Ａから排出される多孔再生ビニールシートＤは、ガイドローラ３０を介して、図３に示すように、前記スクリューシャフト１０を覆い、かつ、両側部が重なるように筒状に丸めて前記管形成手段Ｂに供給される。
管形成手段Ｂのスクリューシャフト１０に巻き付けられた多孔再生ビニールシートＤは、スクリューシャフト１０を回転させると、スクリューシャフト１０のリブ形成用突起１８とリブ形成型２１との間に引き込まれて、これらの間で加圧されながら進行方向Ｘに向けて送られていく。ビニールシート形成手段Ａから排出されたばかりの多孔再生ビニールシートＤは、ビニールシート形成手段Ａによって加熱されているので、リブ形成用突起１８とリブ形成型２１との間で加圧されている間に重なり合った側部同士が溶着して螺旋状のリブが形成された管Ｅが形成されていく。
また、管Ｅは形成される過程でスクリューシャフト１０の内部に設けられた冷却水循環回路１６によって内側から冷却されるので、管Ｅは溶着部分が完全に固定された管となって排出されることになる。
これにより形成された管Ｅは、全体に螺旋状のリブが形成されているため剛性が高く、かつ、多数の孔が開けられた管になる。このように剛性が高く、かつ、多数の孔が開けられた管は、例えば、暗渠配水管として用いるのに好適である。
【００１１】
【発明の効果】
以上説明したように、本発明に係る多孔管製造装置は、一対のローラを、ローラ間にビニールを通すことができるように対向させて配置すると共に、少なくとも一方のローラに、その表面から径方向外方へ突出する複数の孔開け手段と、これら孔開け手段を加熱する加熱手段及び前記ビニールがローラに溶着するのを防止する複数の断熱部材を備えたビニールシート形成手段と、外周面に螺旋状のリブ形成用突起を備えたスクリューシャフト及び、前記スクリューシャフトのリブ形成用突起の周囲を覆うように配置され、前記リブ形成用突起と共動する凹部を備えた複数のリブ形成型を備え、これらリブ形成型がスクリューシャフトの軸線方向に沿って移動できるように構成されたリブ形成用型手段とを有する管形成手段とを備え、前記ビニールシート形成手段から排出されるビニールシートを、前記スクリューシャフトを覆い、かつ、両側部が重なるように筒状に丸めて前記管形成手段に供給し、スクリューシャフトの回転に伴って前記リブ形成用突起とリブ形成型との間にビニールシートを引き込んで加圧するように構成されているので、廃棄すべきビニールシートを使って簡単にしかも安価に剛性の高い多数の孔が開けられた管を製造することが可能になる。このように剛性が高く多数の孔が開けられた管は暗渠配水管に利用するのに好適である。
【図面の簡単な説明】
【図１】多孔管製造装置の概略側面図である。
【図２】図１に示した多孔管装置の概略上面図である。
【図３】図１におけるａ−ａ断面図である。
【符号の説明】
Ａ　ビニールシート形成手段
１　ローラ
２　ローラ
３　孔開けピン
４　ニクロム線
５　断熱用リング
Ｂ　管形成手段
１０　スクリューシャフト
１１　軸受
１２　スプロケット
１３　モータ
１４　スプロケット
１５　チェーン
１６　冷却水循環回路
１７　スイベルジョイント
１８　リブ形成用突起
２０　リブ形成用型手段
２１　リブ形成型
２２　チェーン
２３　スプロケット
２４　軸受
Ｃ　廃棄ビニールシート
Ｄ　多孔再生ビニールシート
Ｅ　多孔管
Ｘ　スクリューシャフトの進行方向
【図１】
2004142288.tif 000003
【図２】
2004142288.tif 000004
【図３】
2004142288.tif 000005